(57)【要約】【課題】スライドカバーの開閉操作を片手のみで容易にできるようにした、携帯電話装置を提供する。【解決手段】キー操作部７を有した装置本体２と、装置本体２に取り付けられたスライドカバー３とを備え、スライドカバー３が、装置本体２のキー操作部７の少なくとも一部を覆う状態とこれを露出させる状態との間を移動可能に取り付けられてなる携帯電話装置１である。装置本体２の外面およびスライドカバー３の内面のいずれか一方に係合突起１３が設けられ、装置本体２の外面およびスライドカバー３の内面の他方に、係合突起１３に係合可能な係合部９ａを有した線状あるいは細板状の弾性部材９が、スライドカバー３の移動方向を弾性復帰方向とするよう弾性変形した状態に設けられていえる。係合突起１３は係合部９ａに係脱可能になっている。【選択図】    図３
2004274465.tif 000002
【特許請求の範囲】
【請求項１】
キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなる携帯電話装置において、
前記装置本体の外面およびスライドカバーの内面のいずれか一方に係合突起が設けられ、
前記装置本体の外面およびスライドカバーの内面の他方に、前記係合突起に係合可能な係合部を有した線状あるいは細板状の弾性部材が、前記スライドカバーの移動方向を弾性復帰方向とするよう弾性変形した状態に設けられており、
前記係合突起が前記係合部に係脱可能になっていることを特徴とする携帯電話装置。
【請求項２】
前記弾性部材が、前記スライドカバーの移動方向に沿って一対設けられてなり、前記係合突起が、前記弾性部材の係合部の間を相対的に移動するよう構成されてなることを特徴とする請求項１記載の携帯電話装置。
【請求項３】
キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなる携帯電話装置において、
前記装置本体の外面およびスライドカバーの内面のいずれか一方に係合突起が設けられ、
前記装置本体の外面およびスライドカバーの内面の他方に、前記係合突起に係合する係合部を有した線状あるいは細板状の弾性部材が、前記スライドカバーの移動方向を弾性復帰方向とするよう弾性変形した状態に設けられていることを特徴とする携帯電話装置。
【請求項４】
キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなる携帯電話装置において、
前記装置本体の外面およびスライドカバーの内面のいずれか一方に係合突起が設けられ、
前記装置本体の外面およびスライドカバーの内面の他方に、前記係合突起に係合する係合部を有し、かつ少なくとも一周巻回したループ部を有したた線状あるいは細板状の弾性部材が、弾性変形した状態に設けられていることを特徴とする携帯電話装置。
【発明の詳細な説明】
【０００１】
【発明の属する技術分野】
本発明は、ＰＨＳ（Ｐｅｒｓｏｎａｌ  Ｈａｎｄｙｐｈｏｎｅ  Ｓｙｓｔｅｍ）端末を含む携帯電話装置に係り、特にスライドカバーを備えた携帯電話装置に関する。
【０００２】
【従来の技術】
従来、携帯電話装置にあっては、スライド開閉するスライドカバーでキー操作部を覆う構造のものが提供されている（例えば、特許文献１、特許文献２参照）。
【０００３】
【特許文献１】
特開２００１−１１９４５６号公報
【特許文献２】
特開２００２−５５７３７号公報
【０００４】
【発明が解決しようとする課題】
ところで、前記の携帯電話装置にあっては、いずれもスライドカバーが筺体（装置本体）に対して単に開閉可能に取り付けられているだけであり、したがってその開閉操作については片手で行うのが難しく、通常は両手で行わなければならない。しかし、携帯電話装置では、着信の際など両手が使えず片手のみで操作したい場合も多く、したがってスライドカバーの開閉操作が片手で容易にできるような構造の提供が望まれている。
【０００５】
本発明は前記事情に鑑みてなされたもので、その目的とするところは、スライドカバーの開閉操作を片手のみで容易にできるようにした、携帯電話装置を提供することにある。
【０００６】
【課題を解決するための手段】
本発明の携帯電話装置では、キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなり、前記装置本体の外面およびスライドカバーの内面のいずれか一方に係合突起が設けられ、前記装置本体の外面およびスライドカバーの内面の他方に、前記係合突起に係合可能な係合部を有した線状あるいは細板状の弾性部材が、前記スライドカバーの移動方向を弾性復帰方向とするよう弾性変形した状態に設けられており、前記係合突起が前記係合部に係脱可能になっていることを前記課題の解決手段とした。
【０００７】
この携帯電話装置によれば、弾性部材が、スライドカバーの移動方向を弾性復帰方向とするよう弾性変形した状態に設けられており、係合突起が弾性部材の係合部に係脱可能になっているので、スライドカバーを開き方向あるいは閉じ方向に移動させた際、係合突起が前記係合部に係合した状態で移動させられることにより、この係合突起が前記弾性部材の弾性復帰によって移動方向に付勢されることになり、よってスライドカバーの移動が円滑になされるようになる。
また、単に弾性部材と係合突起とによってスライドカバーの移動方向への付勢を行うことができるので、複雑な機構や高コストを要することなく片手でのスライドカバーの開閉操作を実現することが可能となる。
【０００８】
また、前記携帯電話装置においては、前記弾性部材が、前記スライドカバーの移動方向に沿って一対設けられてなり、前記係合突起が、前記弾性部材の係合部の間を相対的に移動するよう構成されていてもよい。
このような構成とすれば、係合突起が、弾性部材の係合部の間を相対的に移動するよう構成されているので、一対の弾性部材の間隔がスライドカバーのストロークとなり、したがって一対の弾性部材の配置によってスライドカバーのストロークを容易に設定することが可能になる。また、一対の弾性部材がストッパーの役目も果たすことから、機構が簡易となってコストが安価となる。
【０００９】
また、本発明の別の携帯電話装置では、キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなり、前記装置本体の外面およびスライドカバーの内面のいずれか一方に係合突起が設けられ、前記装置本体の外面およびスライドカバーの内面の他方に、前記係合突起に係合する係合部を有した線状あるいは細板状の弾性部材が、前記スライドカバーの移動方向を弾性復帰方向とするよう弾性変形した状態に設けられていることを前記課題の解決手段とした。
【００１０】
この携帯電話装置によれば、弾性部材が、スライドカバーの移動方向を弾性復帰方向とするよう弾性変形した状態に設けられており、係合突起が弾性部材の係合部に係合しているので、スライドカバーを開き方向あるいは閉じ方向に移動させた際、係合突起が前記弾性部材の弾性復帰によって移動方向に付勢されることになり、よってスライドカバーの移動が円滑になされるようになる。
また、単に弾性部材と係合突起とによってスライドカバーの移動方向への付勢を行うことができるので、複雑な機構や高コストを要することなく片手でのスライドカバーの開閉操作を実現することが可能となる。
【００１１】
また、本発明の別の携帯電話装置では、キー操作部を有した装置本体と、該装置本体に取り付けられたスライドカバーとを備え、前記スライドカバーが、前記装置本体のキー操作部の少なくとも一部を覆う状態とこれを露出させる状態との間を移動可能に取り付けられてなる携帯電話装置において、前記装置本体の外面およびスライドカバーの内面のいずれか一方に係合突起が設けられ、前記装置本体の外面およびスライドカバーの内面の他方に、前記係合突起に係合する係合部を有し、かつ少なくとも一周巻回したループ部を有したた線状あるいは細板状の弾性部材が、弾性変形した状態に設けられていることを前記課題の解決手段とした。
【００１２】
この携帯電話装置によれば、弾性部材が弾性変形した状態に設けられているので、これが弾性復帰する作用によって係合突起が付勢されるようになり、したがってスライドカバーの移動が円滑になされるようになる。また、巻回されたループ部によってこの部分が伸縮可能となることにより、係合突起が移動するストロークを長くすることが可能になる。
【００１３】
【発明の実施の形態】
以下、本発明の携帯電話装置を詳しく説明する。
図１〜図４は本発明の携帯電話装置の一実施形態を示す図であり、これらの図において符号１は携帯電話装置である。この携帯電話装置１は、装置本体２とこれに取り付けられたスライドカバー３とからなるものである。
【００１４】
装置本体２は、図２（ａ）に示すように略直方体状の筺状のもので、一方の側にアンテナ４を有し、さらにこのアンテナ４側から他方の側にかけて順に、受話部５、表示部６、キー操作部７、送話部８、弾性部材９を有したものである。
【００１５】
弾性部材９は、ステンレスや高張力鋼などの金属、あるいは合成樹脂からなるもので、線状あるいは細板状に形成されたものである。なお、本実施形態では金属製で線状のものとしている。この弾性部材９は、その中央部に係合部９ａを形成し、その両端部に折曲部９ｂ、９ｂを形成したものである。係合部９ａは、前記アンテナ側に向けて円に近い状態の円弧状に湾曲されてなるもので、この円弧が開いた部分９ｃにおいて後述する係合突起に係脱可能となるものである。また、折曲部９ｂ、９ｂは、前記係合部９ａが形成された方向、すなわちこの円弧状の係合部９ａがなす面と直交する方向に折曲して形成されたもので、装置本体２に形成された穴部１０、１０に挿通されたことにより、これら穴部１０、１０に保持固定されたものである。
【００１６】
ここで、穴部１０、１０の間隔は、弾性部材９における両折曲部９ｂ、９ｂ間の間隔より狭く形成されている。したがって、弾性部材９はこのような穴部１０、１０にその折曲部９ｂ、９ｂが保持されているため、全体が円弧状に湾曲し弾性変形した状態となっている。なお、穴部１０、１０は装置本体の短辺方向両側に形成されており、これによって弾性部材９は、装置本体の長辺方向のいずれか、すなわちアンテナ４側かあるいはその反対側に湾曲するようになっている。このような構成のもとに弾性部材９は、湾曲した状態から直線上に戻る方向を弾性復帰方向とし、この弾性復帰方向をアンテナ４側かあるいはその反対側としており、後述するように係合部９ａに係合した係合突起をこの弾性復帰方向に付勢するようになっている。
【００１７】
また、装置本体２には、その両側面にそれぞれ溝１１が形成されている。これら溝１１、１１は、図２（ｂ）に示すスライドカバー３の突条１２と係合するものである。
スライドカバー３は、装置本体２のキー操作部７の少なくとも一部を覆うことができるように形成された樹脂製のもので、カバー板３ａとこれの両側部に形成された側板３ｂ、３ｂとからなるものである。側板３ｂ、３ｂには、それぞれ前記突条１２が形成されており、これによってスライドカバー３は装置本体３に対し、アンテナ４側およびその反対側に移動可能となっている。ここで、突条１２は前記溝１１の長さより十分短くなっており、これによって溝１１内を移動可能になっている。
【００１８】
また、このスライドカバー３には、そのカバー板３ａの内面側に係合突起１３が形成されている。この係合突起１３は、スライドカバー３に一体成形されたもので、前記弾性部材９の係合部９ａに係合しかつ係合した状態から脱離するよう、係脱可能に構成されたものである。すなわち、この係合突起１３は、図３（ａ）、（ｂ）に示すようにスライドカバー３の突条１２が装置本体２の溝１１に係合することによってスライドカバー３が装置本体２に移動可能に取り付けられた状態において、弾性部材９の係合部９ａに対して係合可能な方向、つまりアンテナ４と反対の側に位置するようにカバー板３ａに形成配置されたものである。
【００１９】
なお、このスライドカバー３には、図３（ａ）に示すようにスライドカバー３を閉めた状態において、装置本体２に形成された送話部８の直上となる位置に、貫通した孔からなる音孔１４が形成されており、これによってこの携帯電話装置１は、スライドカバー３を閉めた状態においても良好に通話できるようになっている。
【００２０】
次に、このような構成からなる携帯電話装置１の、スライドカバー３の開閉の機構について説明する。
まず、スライドカバー３が閉まった状態では、図３（ａ）に示したように前記係合突起１３は弾性部材９の係合部９ａに係合した状態となっており、また、弾性部材９はアンテナ４側に湾曲した状態となっている。すなわち、弾性部材９は図４中実線で示すように矢印Ａ方向に湾曲している。なお、この弾性部材９は、その両方の折曲部９ｂ、９ｂが穴部１０、１０に挿通されていないフリーの状態では、湾曲していない真っ直ぐなものである。
この状態では、弾性部材９は弾性復帰方向を矢印Ｂ方向としているものの、その両端部である折曲部９ｂ、９ｂが固定されていることから、この状態で安定しており、したがってこの弾性部材９によってスライドカバー３は閉まった状態にロックされたものとなっている。
【００２１】
この閉まった状態からスライドカバー３を開く場合には、例えば携帯電話装置１を片手で持った状態でその手の親指などでスライドカバー３をアンテナ４と反対の側にスライドさせる。すると、スライドカバー３の移動に伴って係合突起１３が図４中矢印Ｂ方向に移動し、この係合突起１３に伴われて係合部９ａも移動することにより、弾性部材９はその湾曲方向を矢印Ａ方向から矢印Ｂ方向に変える。その際、湾曲方向が変わるときに弾性部材９は、弾性復帰する力を先に湾曲していた方向と逆の方向、すなわち矢印Ｂ方向に発現する。したがって、スライドカバー３を指でスライドさせた際、当初においてはある程度の力が必要であるものの、弾性部材９の湾曲方向が変わった後にはこの弾性部材９によって付勢されることにより、スライドカバー３は大きな力を必要とすることなく円滑にスライドし、装置本体２のキー操作部７を開くことになる。
【００２２】
なお、本実施形態では、スライドカバー３の開閉の際のストロークを十分に確保するため、係合突起１３が弾性部材９の係合部９ａから脱離するようになっている。したがって、図４中二点鎖線で示すように弾性部材９がその湾曲方向を反転させた後、さらにスライドカバー３を指等でスライドさせることにより、図３（ｂ）に示すように係合突起１３が係合部９ａから外れ（脱離し）てアンテナ４と反対の側に移動するようになっている。ここで、スライドカバー３は、その突条１２が装置本体２の溝１１に係合していることから、この突条１２が溝１１の一端側（アンテナ４と反対側）に当接することで、その移動が停止するようになっている。
【００２３】
また、図３（ｂ）に示した開いた状態から再度スライドカバー３を閉めるには、開く場合と同様して片手で持った手の親指などでスライドカバー３をアンテナ４側にスライドさせる。すると、スライドカバー３の移動に伴って係合突起１３が図４中矢印Ａ方向に移動し、この係合突起１３が弾性部材９の開いた部分９ｃから係合部９ａに入り込み、ここに係合する。そして、その状態でさらに矢印Ａ側に移動することにより、弾性部材９はその湾曲方向を矢印Ｂ方向から矢印Ａ方向に変える。その際、先の場合と同様に、湾曲方向が変わるときに弾性部材９は、弾性復帰する力を先に湾曲していた方向と逆の方向、すなわち矢印Ａ方向に発現する。したがって、スライドカバー３を指でスライドさせた際、弾性部材９の湾曲方向が変わった後にはこの弾性部材９によって付勢されることにより、スライドカバー３は大きな力を必要とすることなく円滑にスライドし、装置本体２のキー操作部７を覆うようになる。
【００２４】
このような携帯電話装置１にあっては、弾性部材９が、スライドカバー３の移動方向を弾性復帰方向とするよう弾性変形した状態に設けられているので、スライドカバー３を開き方向あるいは閉じ方向に移動させた際、係合突起１３が前記係合部９ａに係合した状態で移動させられることにより、この係合突起１３が前記弾性部材９の弾性復帰によって移動方向に付勢されることになる。したがって、この付勢力によってスライドカバー３の移動が円滑になされることから、スライドカバー３の開閉操作を片手のみで容易にできるようになる。
また、単に弾性部材９と係合突起１３とによってスライドカバー３の移動方向への付勢を行うことができるので、複雑な機構や高コストを要することなく片手でのスライドカバー３の開閉操作を実現することができる。
【００２５】
なお、前記実施形態では、スライドカバー３の開閉の際のストロークを十分に確保するため、係合突起１３が弾性部材９の係合部９ａから脱離するように構成したが、本発明はこれに限定されることなく、特にストロークを長くする必要がない場合などでは、係合突起１３を係合部に係合した状態に固定するようにしてもよい。その場合、係合部については、線材を例えば一周あるいは複数周巻いた状態に形成することで、構成することができる。
【００２６】
また、係合突起１３を係合部に係合した状態で固定し、しかもストロークを長くしたい場合には、例えば図５に示すように弾性部材９にループ状に巻回したループ部１５を形成するようにしてもよい。このようにすれば、このループ部１５によってこの部分が伸縮可能となることにより、係合突起１３が移動するストロークＳを長くすることができる。また、同時に、弾性部材９の長さを実質上長くすることができるので、耐久性あるは移動の感触についてもこれを向上させることができる。
【００２７】
また、前記実施形態では、弾性部材９を一つのみ用いた例を示したが、本発明はこれに限定されることなく、例えば図６（ａ）、（ｂ）に示すように弾性部材９を一対用いて構成することもできる。
すなわち、一対の弾性部材９Ａ、９Ｂを、スライドカバー３の移動方向に沿って配列して設ける。ただし、各弾性部材９Ａ、９Ｂについては、図６（ａ）、（ｂ）に示したようにその係合部９ａの開いた部分９ｃを内側に向けて設け、また、スライドカバー３については、その係合突起１３がこれら弾性部材９Ａ、９Ｂ間に位置するようにして装置本体２に取り付ける。
なお、これら一対の弾性部材９Ａ、９Ｂの間隔はスライドカバー３のストロークとなるので、必要とするストロークに応じてその配置位置が決定される。
【００２８】
このように構成した場合の、スライドカバー３の開閉の機構について説明する。
まず、図６（ａ）に示すようにスライドカバー３が閉まった状態、すなわち係合突起１３が弾性部材９Ａの係合部９ａに係合した状態から開いた状態にするには、先の例の場合と同様にして片手で持った手の親指などでスライドカバー３を矢印Ｂ側にスライドさせる。すると、スライドカバー３の移動に伴って係合突起１３が図６（ａ）中矢印Ｂ方向に移動し、この係合突起１３に伴われて係合部９ａも移動することにより、弾性部材９Ａはその湾曲方向を矢印Ａ方向から矢印Ｂ方向に変える。その際、先の例と同様に、湾曲方向が変わるときに弾性部材９Ａは、弾性復帰する力を先に湾曲していた方向と逆の方向、すなわち矢印Ｂ方向に発現する。したがって、スライドカバー３を指でスライドさせた際、弾性部材９Ａの湾曲方向が変わった後にはこの弾性部材９Ａによって付勢されることにより、スライドカバー３は大きな力を必要とすることなく円滑にスライドするようになる。
【００２９】
さらに、弾性部材９Ａがその湾曲方向を変えた（反転した）後にも続けてスライドカバー３をスライドさせると、係合部９ａが逆に反ることによってこの係合部９ａの開いた部分９ｃが係合突起１３の外径より大きくなり、これによって係合突起１３が弾性部材９Ａの係合部９ａから脱離する。そして、図６（ａ）中二点鎖線で示すようにそのまま矢印Ｂ側に移動することにより、弾性部材９Ｂの係合部９ａに入り込む。すなわち、この位置では係合部９ａの開いた部分９ｃが反るため、係合突起１３より大きくなり、したがって係合突起１３はここに係合する。そして、その状態でさらに矢印Ｂ側に移動することにより、弾性部材９Ｂは図６（ｂ）に示すようにその湾曲方向を矢印Ａ方向から矢印Ｂ方向に変えて反転する。そして、その状態で係合突起１３は保持されることにより、スライドカバー３の移動が停止してスライドカバー３が開かれる。なお、この状態では係合部９ａの開いた部分９ｃは狭くなっているため、係合突起１３は前記の開いた部分９ｃから簡単には外れないようになっている。
【００３０】
また、図６（ｂ）に示した開いた状態から再度スライドカバー３を閉めるには、開く場合と同様して片手で持った手の親指などでスライドカバー３を矢印Ａ側にスライドさせる。すると、スライドカバー３の移動に伴って係合突起１３が矢印Ａ方向に移動し、これに伴われて弾性部材９Ｂの係合部９ａも移動することにより、弾性部材９Ｂはその湾曲方向を矢印Ａ方向から矢印Ｂ方向に変える。そして、さらに係合突起１３が弾性部材９Ａの係合部９ａに係合し、その状態で矢印Ａ方向に移動させられることにより、弾性部材９Ａもその湾曲方向を矢印Ａ方向から矢印Ｂ方向に変え、図６（ａ）に示した状態に復帰してスライドカバー３が閉まった状態となる。その際、先の例と同様に、湾曲方向が変わるときに弾性部材９Ｂ、９Ａはそれぞれ、弾性復帰する力を先に湾曲していた方向と逆の方向、すなわち矢印Ａ方向に発現する。したがって、スライドカバー３を指でスライドさせた際、弾性部材９Ｂ、９Ａの湾曲方向が変わった後にはこれら弾性部材９Ｂ、９Ａによって付勢されることにより、スライドカバー３は大きな力を必要とすることなく円滑にスライドするようになる。
【００３１】
このような構成の携帯電話装置にあっても、弾性部材９Ａ、９Ｂの付勢力によってスライドカバー３の移動が円滑になされることから、スライドカバー３の開閉操作を片手のみで容易にできるようになる。また、一対の弾性部材９Ａ、９Ｂの間隔がスライドカバー３のストロークとなり、したがって一対の弾性部材９Ａ、９Ｂの配置によってスライドカバー３のストロークを容易に設定することができる。また、一対の弾性部材９Ａ、９Ｂがストッパーの役目も果たすことから、機構が簡易となって低コスト化が可能になる。
【００３２】
なお、前記実施形態では、装置本体２側に弾性部材９を設け、スライドカバー３側に係合突起１３を設けるようにしたが、本発明はこれに限定されることなく、装置本体２側に係合突起１３を設け、スライドカバー３側に弾性部材９を設けるようにしてもよい。
【００３３】
【発明の効果】
以上説明したように本発明の携帯電話装置は、係合突起が弾性部材の弾性復帰によって移動方向に付勢されることにより、スライドカバーの開閉（移動）が円滑になされるように構成されたものであるから、スライドカバーの開閉操作を片手のみで容易に行うことができ、したがって着信の際など両手が使えない場合にも、片手のみで容易に操作できるものとなる。
また、単に弾性部材と係合突起とによってスライドカバーの移動方向への付勢を行うことができるので、複雑な機構や高コストを要することなく片手でのスライドカバーの開閉操作を実現することができる。
【図面の簡単な説明】
【図１】本発明の携帯電話装置の一実施形態の、概略構成を示す斜視図である。
【図２】（ａ）は図１に示した携帯電話装置の装置本体を示す斜視図、（ｂ）はスライドカバーの内面側を示す斜視図である。
【図３】図１に示した携帯電話装置の使用形態説明図であり、（ａ）はスライドカバーを閉めている状態を示す平面図、（ｂ）はスライドカバーを開いている状態を示す平面図である。
【図４】弾性部材および係合突起の動作を説明するための図である。
【図５】弾性部材の別の形態を示す図である。
【図６】（ａ）、（ｂ）は本発明の携帯電話装置の他の実施形態を示す図であって、弾性部材および係合突起の動作を説明するための図である。
【符号の説明】
１…形態電話装置、２…装置本体、３…スライドカバー、７…キー操作部、  ９、９Ａ、９Ｂ…弾性部材、９ａ…係合部、１３…係合突起
【図１】
2004274465.tif 000003
【図２】
2004274465.tif 000004
【図３】
2004274465.tif 000005
【図４】
2004274465.tif 000006
【図５】
2004274465.tif 000007
【図６】
2004274465.tif 000008